(57)【要約】【課題】  保守点検の手間とスペースを削減でき、小型化が可能であり、簡易に製造できる引戸装置用カバーを提供すること。【解決手段】  天板２の一端に形成した凹所の開口２２に、正面板３の上端の係合部３１を係合させる。正面板３の下端を、側板４に連結する。側板４は、壁に固定されると共に、天板２の長手方向の両端と、正面板３の長手方向の両端とを連結する。正面板３を開く場合、側板４に対する連結を解き、係合部３１周りに上方に向かって回転させる。正面板３が略水平を向いた状態で、係合部３１を、天板２の開口２２に連通する断面矩形の空間２１内に挿入する。正面板３は、空間２１の内側面と開口２２の端部とに係止して、仮止めされる。正面板３の開閉の手間を削減できると共に、正面板を取り外して配置するスペースが不要になる。【選択図】図１
2005226355.tif 000002
【特許請求の範囲】
【請求項１】
断面矩形の空間と、この空間に連通する開口とを形成する凹所を有する天板と、
上記開口の縁に係合可能であると共に上記空間内に挿入可能な係合部を有し、この係合部が上記空間内に挿入されたとき、この空間の内面と上記開口の縁とに当接して上記天板に仮支えされる正面板と、
壁に固定される固定部を有すると共に、上記天板に連結される連結部を有する側板と
を備えることを特徴とする引戸装置用カバー。
【請求項２】
請求項１に記載の引戸装置用カバーにおいて、
上記天板は、長手方向の両端に、上記側板の連結部に連結される連結部を有する一方、上記凹所が設けられた縁と対向する縁に、上記壁に固定される固定部が無いことを特徴とする引戸装置用カバー。
【請求項３】
請求項１に記載の引戸装置用カバーにおいて、
上記正面板は、上記側板に連結される連結部を有することを特徴とする引戸装置用カバー。
【発明の詳細な説明】
【技術分野】
【０００１】
本発明は、例えば自閉式の引戸装置に用いられる引戸装置用カバーに関する。
【背景技術】
【０００２】
従来、例えば自閉式の引戸装置としては、開口が設けられた壁の上記開口の上方に固定されたレールと、このレールに沿って走行する車輪、制動手段および吊具を有する走行装置と、この走行装置の吊具に吊り下げられた引戸本体と、上記引戸本体を閉じ方向に向かって付勢する付勢装置とを備えたものがある（例えば特許文献１：特開平０８−２１８７２６号公報参照）。
【０００３】
この種の引戸装置には、従来、図４の横断面図に示すようなカバーが設けられている。このカバー１０１は、上記開口が設けられた壁１０７と略直角をなすと共に水平方向に配置された天板１０２と、上記壁１０７と略平行をなす正面板１０３と、上記壁１０７と略直角をなすと共に鉛直方向に配置された側板とを備える。上記正面板１０３は、上側の縁１３１が、上記天板の壁から突出した側の縁１２１に係合すると共に、下側の縁１３２が、引戸本体１５２の上端よりも下方に延在している。上記正面板１０３の正面から見た左右両側の縁は、上記側板の上記壁１０７から突出した側の縁に、ネジ留めされている。この引戸装置用カバー１０１で、レール１５１、走行装置、付勢装置および引戸本体１５２の上部を覆って、このレール１５１等の汚損の防止や引戸装置の美観の向上を図るようにしている。
【０００４】
上記従来の引戸装置用カバーの天板１０２は、上記壁側の縁に連なると共に引戸装置用カバー１０１の内側に屈曲するフランジ１２２を有し、このフランジ１２２の長手方向に所定間隔をおいて複数のネジ穴を有し、このネジ穴を貫通するネジ１０９によって上記壁１０７に固定されている。
【０００５】
しかしながら、上記従来の引戸装置用カバー１０１は、上記レール１５１等の保守点検を行う場合、上記引戸装置用カバーの正面板１０３と側板とを連結するネジを外すと共に、上記正面板の上側縁１３１と上記天板の突出縁１２１との係合を解いて、長尺の上記正面板１０３を、上記天板１０２および側板から取り外す必要がある。したがって、保守点検の手間がかかるという問題がある。また、上記取り外した正面板１０３を配置するスペースを確保する必要があるので、比較的狭い場所に引戸装置が設けられている場合、保守点検がし難いという問題がある。
【０００６】
また、上記従来の引戸装置用カバー１０１は、上記天板１０２の壁側縁に連なるフランジ１２２と、このフランジ１２２を壁１０７に固定するネジ１０９とが内側に露出しているので、このフランジ１２２およびネジ１０９が上記走行装置の通過を妨げないようにする必要がある。したがって、上記天板のフランジ１２２の下端を、上記走行装置の通過位置よりも高い位置に配置する必要があるから、上記天板１０２の上端の位置は、上記走行装置の通過位置の上端に、上記フランジ１２２の高さを加えた高さよりも高くなる。したがって、上記正面板１０３の高さ方向の寸法が比較的大きくなって、引戸装置用カバー１０１が大型化するという問題がある。上記レール１５１が長手方向に傾斜して配置されている場合、このレール１５１や走行装置等の最も高い位置は、レールを水平に配置する場合よりも高くなるので、上記引戸装置用カバー１０１の大型化の問題は顕著になる。
【０００７】
また、上記天板１０２は、上記フランジ１２２に複数のネジ穴を形成する必要があるので、製造に手間がかかるという問題がある。
【特許文献１】特開平０８−２１８７２６号公報
【発明の開示】
【発明が解決しようとする課題】
【０００８】
そこで、本発明の課題は、保守点検の手間とスペースを削減でき、小型化が可能であり、簡易に製造できる引戸装置用カバーを提供することにある。
【課題を解決するための手段】
【０００９】
上記課題を解決するため、本発明の引戸装置用カバーは、
断面矩形の空間と、この空間に連通する開口とを形成する凹所を有する天板と、
上記開口の縁に係合可能であると共に上記空間内に挿入可能な係合部を有し、この係合部が上記空間内に挿入されたとき、この空間の内面と上記開口の縁とに当接して上記天板に仮支えされる正面板と、
壁に固定される固定部を有すると共に、上記天板に連結される連結部を有する側板と
を備えることを特徴としている。
【００１０】
上記構成によれば、上記天板の凹所によって形成された開口の縁に、上記正面板の係合部が係合する。また、上記天板の凹所で形成された断面矩形の空間内に、上記正面板の係合部が挿入されたとき、この正面板は、上記空間の内面と上記開口の縁とに当接して仮支えされる。これにより、上記正面板を、上記天板および側板から取り外すことなく、上記天板に仮支えされた状態で、この引戸装置用カバーの内側を露出することができる。したがって、上記係合部を空間内に挿入する上記正面板の簡易な操作のみによって、例えば引戸装置の保守点検を行うことができる。したがって、従来のような正面板を取り外す手間を省くことができると共に、正面板を配置するスペースが不要になって、保守点検を容易に行うことができる。
【００１１】
１実施形態の引戸装置のカバーは、
上記天板は、長手方向の両端に、上記側板の連結部に連結される連結部を有する一方、上記凹所が設けられた縁と対向する縁に、上記壁に固定される固定部が無い。
【００１２】
上記実施形態によれば、上記天板は、上記連結部によって上記側板の連結部に連結されて、上記側板に支持される。一方、上記凹所が設けられた縁と対向する縁には、壁に固定される固定部が無い。したがって、従来のように、天板の縁に連なるフランジとこのフランジを壁に固定するネジを、引戸装置の走行装置と接触しないように上記走行装置の上方に配置したりする必要がない。すなわち、本実施形態の引戸装置の天板は、この引戸装置用カバーで覆う部品に近接して配置することができる。したがって、この引戸装置用カバーの大型化を防止することができる。
【００１３】
また、この引戸装置用カバーで覆う例えばレールが、傾斜して配置された場合であっても、このレールの最も高い位置に近接して上記天板を配置することができる。したがって、従来のように大型化すること無く、上記傾斜したレールを覆うことができる。
【００１４】
また、上記天板は、例えば押し出しなどによって凹所を容易に形成でき、また、従来におけるようにフランジにネジ穴を設ける必要が無いので、従来よりも少ない工程で形成できる。したがって、この引戸装置用カバーは、従来よりも少ない工程で安価に製造できる。
【００１５】
なお、上記天板は、上記長手方向の両端の連結部が側板で支持されるのみであるが、上記断面矩形の空間を形成する凹所を有するので比較的高い剛性を有する。したがって、上記天板は、従来のようにフランジで壁に直接固定しなくても、撓み量を比較的小さくすることができる。
【００１６】
１実施形態の引戸装置のカバーは、
上記正面板は、上記側板に連結される連結部を有する。
【００１７】
上記実施形態によれば、上記正面板は、上記係合部が上記天板に係合すると共に、上記連結部が上記側板に連結されるので、簡易な構成で比較的大きい強度を得ることができる。また、上記連結部の側板に対する連結を解除するのみにより、上記正面板を容易に開閉および着脱することができる。
【発明の効果】
【００１８】
以上のように、本発明の引戸装置用カバーは、断面矩形の空間と、この空間に連通する開口とを形成する凹所を有する天板と、上記開口の縁に係合可能であると共に上記空間内に挿入可能な係合部を有し、この係合部が上記空間内に挿入されたとき、この空間の内面と上記開口の縁とに当接して上記天板に仮支えされる正面板と、壁に固定される固定部を有すると共に、上記天板に連結される連結部を有する側板とを備えるので、上記正面板を、上記天板および側板から取り外すことなく、上記天板に仮支えされた状態で、この引戸装置用カバーの内側を露出することができるので、例えば引戸装置の保守点検を少ないスペースの下で容易に行うことができる。
【発明を実施するための最良の形態】
【００１９】
以下、本発明を図示の実施の形態により詳細に説明する。
【００２０】
図１は、本発明の引戸装置用カバーを示す分解斜視図であり、図２は、この引戸装置用カバーを用いた引戸装置の一部を示す横断面図である。
【００２１】
上記引戸装置は、図２に示すように、壁７の開口の上方に固定されたレール５１と、このレール５１に沿って走行する走行装置と、この走行装置に連結された引戸本体５２と、この引戸本体５２を閉じ側に付勢する付勢装置（図示せず）を備える。上記走行装置は、上記引戸本体５２を吊り下げる吊具５５と、この吊具５５に枢着されて上記レール５１上を走行する車輪５４と、上記吊具５５に固定されて上記引戸本体５２の開閉動作を制動する制動装置５６とを有する。
【００２２】
上記引戸装置用カバー１は、上記レール５１と、上記走行装置と、上記付勢装置と、上記引戸本体５２の上部とを覆うように形成されている。
【００２３】
図１に示すように、この引戸装置用カバー１は、略水平方向に配置される天板２と、略鉛直方向に配置される正面板３と、上記天板２および正面板３の長手方向の両端に配置される２つの側板４，４とからなる。
【００２４】
上記天板２は、短手方向の一端に、長手方向に延びる凹所を有する。この凹所は、断面矩形の空間２１と、この空間２１の断面において上端近傍に位置する開口２２とを形成している。この開口２２は、互いに直角をなす水平部２４と垂直部２５との間に形成している。上記凹所の下側には、上記天板２の水平部２４と略直角をなすフランジ２７を一体に形成しており、このフランジ２７の長手方向の両端近傍に、２つのネジ穴２８，２８を各々設けている。
【００２５】
上記正面板３は、短手方向の一端に、長手方向に延在する係合部３１を有している。この係合部３１は、上記天板２の開口２２の縁（詳しくは、開口２２を形成する垂直部２５）に係合可能であると共に、上記天板２の空間２１内に挿入可能に形成している。また、上記正面板３は、短手方向の他端近傍であって、長手方向の両端近傍に、２つのネジ穴３５，３５を各々設けている。また、上記正面板３の短手方向の他端に溝を設け、この溝内に目隠し板３３を接着剤で固定して、上記正面板３の他端と引戸本体５２の表面との間に生じる隙間を少なくしている。
【００２６】
上記側板４は、短手方向の一端であって長手方向に延在する縁に、引戸装置用カバー１の内側に向うフランジ４０を形成している。このフランジ４０に、この側板４を壁に固定するためのネジ穴４１，４１を設けている。また、上記側板４の上端であって、短手方向に延在する縁に、引戸装置用カバー１の内側に屈曲して上記天板の水平部２４を支持する天板支持部４２を設けている。また、上記側板４の短手方向の他端であって、長手方向に延在する縁に、装置用カバーの内側に屈曲する天板連結部４３および正面板連結部４６を設けている。上記天板連結部４３は、上記天板のフランジ２７のネジ穴２８を貫通するネジが螺合するネジ穴４４を有し、このネジによって上記天板のフランジ２７に連結されるようになっている。上記正面板連結部４６は、上記正面板３のネジ穴３５を貫通するネジが螺合するネジ穴４７を有し、このネジによって上記正面板３に連結されるようになっている。
【００２７】
上記構成の引戸装置用カバー１は、以下のようにして壁７に取り付ける。まず、上記側板のフランジ４０を壁７に固定する。この側板４の天板支持部４２に天板２の水平部２４を載置すると共に、この天板２のフランジ２７を側板４の天板連結部４３にネジ６１で留める。上記天板２は、上記側板４のみを介して壁７に取り付けられる。
【００２８】
上記天板２の開口２２を形成する垂直部２５に、上記正面板３の係合部３１を係合させる。この係合部３１は概略コ字状断面を有し、上記正面板３が鉛直方向を向いた状態で、上記係合部３１の内側面が上記開口２２を形成する垂直部の縁２５ａに係止する（図２参照）。上記正面板３を、上記側板４の正面板連結部４６にネジ６２で留めて固定する。これにより、上記正面板３が側板４に固定されると共に、この正面板３の下端の目隠し板３３の先端が、上記引戸本体５２の表面に近接する位置に配置される。
【００２９】
上記引戸装置用カバーを用いた引戸装置について、例えば保守点検を行う際、以下のようにして正面板３を開く。
【００３０】
まず、正面板３の表面に露出するネジ６２を外して、この正面板３と側板の連結部４６との連結を解除する。続いて、鉛直方向を向いた正面板３（図２において実線で示す）を、矢印Ａで示すように係合部３１を中心に回転させて、上記正面板３を概略水平方向に向ける。そして、上記正面板３が水平方向に向いた状態で、矢印Ｂで示すように、上記正面板３の係合部３１を断面矩形の空間２１内に挿入する。このとき、上記係合部３１の外側面が上記空間２１の壁側の面に当接するまで、上記係合部３１を挿入する。これにより、上記正面板３は、上記空間２１の内側面に当接すると共に、上記空間２１の開口２２を形成する垂直部の縁２５ａに当接して、略水平方向を向いた状態で仮止めされる。すなわち、上記正面板３が開いて引戸装置用カバー１の内部を露出した状態で、上記正面板３が仮止めされる。
【００３１】
このように、上記正面板３を容易に開くことができるので、少ない手間で保守点検等を行うことができる。また、上記正面板３を天板２に仮止めすることができるので、従来のように外した正面板を配置するスペースが不要であるから、この引戸装置の設置場所が比較的狭くても、容易に保守点検等を行うことができる。
【００３２】
また、上記天板２は、従来のような壁に固定するためのフランジやネジが無いので、引戸装置のレール５１や走行装置に近接して配置することができる。したがって、従来と同一の引戸装置を覆う場合、引戸装置用カバーの高さを従来よりも小さくできる。したがって、引戸装置用カバーを効果的に小型化することができる。
【００３３】
この引戸装置用カバー１は、上記レール５１は水平面に対して傾斜して配置されているにもかかわらず、効果的に小型化を行うことができる。すなわち、上記レール５１は、上記引戸本体５２に作用する重力の一部を閉じ方向に働かせるために、閉じ側に向かうにつれて下るように傾斜している。したがって、上記レール５１の開き側の端５１ａが、引戸装置の中で最も高くなっている。本実施形態の引戸装置用カバーの天板２は、上記レールの端５１ａに近接して配置することができるので、上記レール５１が傾斜しているにもかかわらず、上記天板２の配置位置を比較的低くすることができる。したがって、引戸装置用カバー１の大幅な大型化を防止することができる。
【００３４】
また、上記天板２は、上記断面矩形の空間２１および開口２２を形成する凹所が一体に形成されているので、長手方向の曲げに対する剛性が増大する。したがって、上記天板２は、長手方向両端が側板４に連結されているのみであっても、撓みを比較的少なくできる。なお、上記天板２は、図３に示すように、壁に固定された支持具７１で支持されてもよい。
【００３５】
図３は、引戸装置用カバーの変形例を示す横断面図であり、上記天板２が支持具７１で支持される点が、図１，２に示した引戸装置用カバーと異なる。図３において、図１，２と同一の部分には同一の参照番号を付している。
【００３６】
図３に示すように、この引戸装置用カバーは、天板２が、長手方向の１つ以上の箇所において、壁７に固定された支持具７１で支持されている。この支持具７１は、壁７側の端部に固定フランジを有すると共に、突出側の端部に支持フランジ７５を有する。上記固定フランジと支持フランジ７５は、互いに逆向きに屈曲している。上記固定フランジは、ネジ７３で壁７に固定されている。この固定フランジが壁７に固定される鉛直方向位置は、上記天板２の凹所の上記空間２１を形成する部分と略同じ鉛直方向位置にしている。上記支持フランジ７５は、上記天板２の略鉛直向きに延びるフランジ２７に、図示しないネジで連結されている。上記支持具７１の上記支持フランジ７５に連なる部分は、上記天板２の凹所の上記空間２１を形成する部分の下側面に、当接している。
【００３７】
上記支持具７１は、上記固定フランジが、上記天板２の凹所の上記空間２１を形成する部分と略同じ鉛直方向位置で壁７に固定されると共に、上記支持フランジ７５が、上記天板２のフランジ２７に固定される。したがって、引戸装置用カバー内のレール５１および走行装置に接触することなく、上記天板２を支持することができる。したがって、長尺の上記天板２の撓みを、引戸装置用カバーの大型化を招くことなく抑制することができる。
【００３８】
また、上記天板２は、上記凹所が一体に形成されて比較的複雑な断面形状を有するものの、押し出しにより簡易に製造できる。また、従来のようにフランジにネジ穴を設ける必要が無い。したがって、上記天板２は従来よりも少ない製造工程で安価に作製できるので、引戸装置用カバーのコストダウンを行うことができる。
【００３９】
なお、上記正面板３は、必ずしもネジ６２で側板４に連結される必要は無く、係合爪等で側板４に連結されてもよい。
【００４０】
また、上記レール５１は傾斜したものである必要は無く、水平のレールであってもよい。
【００４１】
また、上記正面板３の下端に設けた目隠し板３３は、複数の寸法の幅を有するものを予め用意し、上記正面板３の下端と引戸本体５２の表面との間の隙間に応じて、適切な幅を有するものを選択するのが好ましい。これにより、目隠し板の材料を設置現場で加工して適切な幅にする手間を効果的に削減できる。
【図面の簡単な説明】
【００４２】
【図１】本発明の引戸装置用カバーを示す分解斜視図である。
【図２】図１の引戸装置用カバーを用いた引戸装置の一部を示す横断面図である。
【図３】引戸装置用カバーの変形例を示す横断面図である。
【図４】従来の引戸装置用カバー及び引戸装置の一部を示す横断面図である。
【符号の説明】
【００４３】
１  引戸装置用カバー
２  天板
３  正面板
４  側板
２１  断面矩形の空間
２２  開口
２４  水平部
２５  垂直部
２７  天板のフランジ
２８  フランジのネジ穴
３１  係合部
３３  目隠し版
３５  正面板のネジ穴
４０  側板のフランジ
４１  フランジのネジ穴
４２  天板支持部
４３  天板連結部
４４  天板連結部のネジ穴
４６  正面板連結部
４７  正面板連結部のネジ穴
【図１】
2005226355.tif 000003
【図２】
2005226355.tif 000004
【図３】
2005226355.tif 000005
【図４】
2005226355.tif 000006